(57)【要約】  手乾燥装置１００は、高圧空気流を発生する高圧空気流発生装置と、高圧空気流発生装置を制御する制御回路と、商用電源を制御回路に接続するための電源接続部６１と、高圧空気流発生装置と制御回路と電源接続部とを収容して外郭を構成する本体１と、本体に形成され、高圧空気流発生装置により生成された高圧空気流を噴出するノズルと、を有する手乾燥装置であって、本体の一部を構成し、工具により着脱可能とされたパネル５９と、本体に収容され、手乾燥装置の設定を切り替え可能とする切替部６２，６３と、をさらに有し、パネルを外すことによって、電源接続部および切替部へのアクセスが可能となる。
2010109661.tif 000002
【特許請求の範囲】
【請求項１】
高圧空気流を発生する高圧空気流発生装置と、前記高圧空気流発生装置を制御する制御回路と、商用電源を前記制御回路に接続するための電源接続部と、前記高圧空気流発生装置と前記制御回路と前記電源接続部とを収容して外郭を構成する本体と、前記本体に形成され、前記高圧空気流発生装置により生成された高圧空気流を噴出するノズルと、を有する手乾燥装置であって、
前記本体の一部を構成し、工具により着脱可能とされたパネルと、
前記本体に収容され、前記手乾燥装置の設定を切り替え可能とする切替部と、をさらに有し、
前記パネルを外すことによって、前記電源接続部および前記切替部へのアクセスが可能となることを特徴とする手乾燥装置。
【請求項２】
前記切替部によって、前記高圧空気流の風量の強弱を切り替えることができることを特徴とする請求項１に記載の手乾燥装置。
【請求項３】
前記高圧空気流を温風化する加熱手段をさらに有し、
前記切替部によって、前記加熱手段への電源の入り切りを切り替えることができることを特徴とする請求項１に記載の手乾燥装置。
【請求項４】
前記切替部によって、前記手乾燥装置の主電源の入り切りを切り替えることができることを特徴とする請求項１に記載の手乾燥装置。
【請求項５】
前記切替部は、絶縁トランスにより商用電源から絶縁されていることを特徴とする請求項１に記載の手乾燥装置。
【請求項６】
前記本体に対して着脱可能に設けられ、前記高圧給気流により吹き飛ばされた水滴を回収するドレン容器をさらに有し、
前記ドレン容器の装着状態において、前記パネルの固定箇所が前記ドレン容器の一部に覆われることを特徴とする請求項１に記載の手乾燥装置。
【請求項７】
前記本体の内部に設けられ、前記切替部を覆うとともに着脱可能とされた保護カバーをさらに有することを特徴とする請求項１に記載の手乾燥装置。
【発明の詳細な説明】
【技術分野】
【０００１】
本発明は、手乾燥装置、特に高圧空気流により手に付着した水滴を吹き飛ばして手を乾燥させる手乾燥装置に関するものである。
【背景技術】
【０００２】
従来、洗浄後の濡れた手を乾燥させる装置として、高速空気流により手に付着した水滴を吹き飛ばし乾燥させる手乾燥装置がある。この装置は、高圧空気流発生装置の出力を変更して風量を切り替えたり、高圧空気流を温風化するためのヒータの入り切りを切り替えたり、手乾燥装置への主電電の入り切りを切り替えたりするための切替部を備えている。これらの切替部は、手乾燥装置の管理者によって操作され、設置環境に応じて設定の切り替えが行われる。例えば、特許文献１では、操作性を考慮して手乾燥装置の上部、あるいは側面に切替部が設けられている。しかしながら、特許文献１に開示のものは、手乾燥装置の管理者に無断で切替部が操作されたり、悪戯で操作されたりしてしまう。そこで、特許文献２では、管理者以外には分かり難い場所に、切替部を設ける技術が開示されている。【０００３】
【特許文献１】特開２００２−３４８４６号公報
【特許文献２】特開２００６−１８７３０８号公報
【発明の開示】
【発明が解決しようとする課題】
【０００４】
しかしながら、特許文献２に開示のものは、手乾燥装置の清掃時に容易に取り外すことができる遮蔽手段によって、切替部が遮蔽されている。この場合、切替部は、手乾燥装置の使用者からは見えにくくなっているものの、遮蔽手段が工具なしで取り外し可能なため、悪戯防止としては確実性に乏しい。また、手乾燥装置は、据付時に一度各種設定がなされれば、以後に設定の切り替えの必要性は生じにくいため、清掃のたびに取り外される遮蔽手段によって切替部を遮蔽するのは非効率である。【０００５】
本発明は、上記に鑑みてなされたものであって、手乾燥装置の管理者にとっては簡単に設定の切り替えができるが、一般の使用者にとっては設定の切り替えが困難となる手乾燥装置を得ることを目的とする。
【課題を解決するための手段】
【０００６】
上述した課題を解決し、目的を達成するために、本発明の手乾燥装置は、高圧空気流を発生する高圧空気流発生装置と、高圧空気流発生装置を制御する制御回路と、商用電源を制御回路に接続するための電源接続部と、高圧空気流発生装置と制御回路と電源接続部とを収容して外郭を構成する本体と、本体に形成され、高圧空気流発生装置により生成された高圧空気流を噴出するノズルと、を有する手乾燥装置であって、本体の一部を構成し、工具により着脱可能とされたパネルと、本体に収容され、手乾燥装置の設定を切り替え可能とする切替部と、をさらに有し、パネルを外すことによって、電源接続部および切替部へのアクセスが可能となる。
【発明の効果】
【０００７】
本発明によれば、手乾燥装置の管理者にとっては簡単に設定の切り替えができるが、一般の使用者にとっては設定の切り替えが困難となる手乾燥装置を得ることができる。
【図面の簡単な説明】
【０００８】
【図１】図１は、本発明の実施の形態に係る手乾燥装置を横方向から見た断面図である。
【図２】図２は、手乾燥装置の正面図である。
【図３】図３は、正面パネルを取り外した手乾燥装置の斜視図および各部の部分拡大図である。
【符号の説明】
【０００９】
１  本体箱体（本体）
２  手挿入部
２ａ  内壁表面（手前側）
２ｂ  内壁表面（奥側）
３  送風機（高圧空気流発生装置）
４  排水口
５  排水管
７ａ  第１のノズル
７ｂ  第２のノズル
８ａ  第１の手検知センサ
８ｂ  第２の手検知センサ
９  吸気ダクト
９ａ  吸気口
１０  ドレン容器
１４  排気口
１５ａ、１５ｂ  排気ダクト
２０  エアフィルタ
５０  ヒータユニット
５１  蓄熱ヒータ（加熱手段）
５２  アルミダイキャスト
５３  シーズヒータ
５４  制御回路
５５  室温サーミスタ
５６  ヒータサーミスタ
５７  ヒータサーモスタット
５８  接続部
５９  正面パネル（パネル）
６０ａ、６０ｂ  ねじ
６１  端子台
６２  ディップスイッチ（切替部）
６３  ディップスイッチ（切替部）
６４  保護カバー
６５  保護カバー
６６  ねじ
６７  ねじ
６８  基板
６９  屋内配線
１００  手乾燥装置
【発明を実施するための最良の形態】
【００１０】
以下に、本発明に係る手乾燥装置の実施の形態を図面に基づいて詳細に説明する。なお、この実施の形態によりこの発明が限定されるものではない。【００１１】
実施の形態．
図１は、本発明の実施の形態に係る手乾燥装置を横方向から見た断面図である。図２は、手乾燥装置の正面図である。図１において、実線で示す矢印は気流の流れを示し、点線で示す矢印は手から排除された水滴の流れを示す。図１において、本体を構成する本体箱体（本体）１は、手乾燥装置１００の外郭を成し、この本体箱体１の上面および側面には下部方向に傾斜を有してほぼＵ字状に開口して手を自在に挿抜できる手挿入部２が設けられている。また、本体箱体１の手挿入部２の下方には高圧空気流発生装置としての送風機３が内蔵されている。【００１２】
手挿入部２の底部には、排水口４が形成されており、この排水口４には排水管５が接続され、この排水管５は本体箱体１の下部に配設されたドレン容器１０まで延びている。なお、手から排除された水滴および水のことをドレンという。手挿入部２の対向面である内壁表面２ａ，２ｂには、シリコン系もしくはフッ素系等の撥水性コーティング、または酸化チタン等の親水性があるコーティングがなされ、さらにこれらコーティングには抗菌材が含浸されており、内壁表面２ａ，２ｂの汚れ付着を低減させると共に菌の繁殖を低減させるようにしてある。【００１３】
手挿入部２の入口近傍の内壁表面２ａ，２ｂには、送風機３が発生した高圧空気流を噴出する第１，第２のノズル７ａ，７ｂが設けられており、この第１，第２のノズル７ａ，７ｂは、手の甲側と掌側の双方に風を当て、かつ、入口から奥への圧力勾配を形成するような傾斜を有しており、手挿入部２に挿入した手を擦り合わせることなく、手に付着した水滴を手の表裏から排除できるようになっている。また、手挿入部２の前面の下部には、手の挿入を検知するための第１の手検知センサ８ａが設けられ、後面のほぼ中央部には第２の手検知センサ８ｂが設けられている。【００１４】
本体箱体１の下部にはヒータユニット５０があり、その内部には蓄熱ヒータ５１を設えている。蓄熱ヒータ５１は、蓄熱材としてのアルミダイキャスト５２の内部に発熱体としてシーズヒータ５３を備えている。制御回路５４（図２）には、手乾燥装置１００が設置されている部屋の室温を測定する室温サーミスタ５５と、アルミダイキャスト５２の温度を測定するヒータサーミスタ５６が接続されている。制御回路５４は、アルミダイキャスト５２の温度が、制御回路５４に予め記憶されている温度になるように、室温に応じてシーズヒータ５３への通電を制御している。さらに、アルミダイキャスト５２には、シーズヒータ５３への通電がＯＮした状態で、制御回路５４が故障した場合に備え、ヒータへの電源供給ラインに直列にヒータサーモスタット５７も取り付けてある。このサーモスタット５７は、２００℃を検知するとオープンし、ヒータへの通電を停止させ、１５０℃まで冷却されると再びクローズし、ヒータへの通電を開始させ、この繰り返しにより、アルミダイキャスト５２をある一定の温度に保つことができる。制御回路５４が正しく動作している場合のアルミダイキャスト５２の温度が２００℃に達しないように制御回路５４により制御されていることは言うまでもない。【００１５】
本体箱体１の下部には吸気ダクト９が設けられている。吸気ダクト９は、本体箱体１のほぼ中央部に設けられた送風機３から蛇行するようにして下方に延び、ドレン容器１０の背後をとおって、ヒータユニット５０との接続部５８に達し、さらに、チャンバー構造になったヒータユニット５０の内部の蓄熱ヒータ５１の回りを通り、ヒータユニット５０側面の吸気口９ａ（図２）に開口している。そして、吸気口９ａにはエアフィルタ２０（図２）が取り付けられている。送風機３の上部には吸気ダクト９と連通する排気口１４が設けられ、第１、第２の排気ダクト１５ａ，１５ｂに連通して、ノズル７ａ，７ｂから空気を噴出するようになっている。【００１６】
上記のように構成した手乾燥装置１００の動作を説明する。手乾燥装置１００の手挿入部２に、洗浄後の濡れた手を手首付近まで入れると、手挿入部２に設けた第１，第２の手検知センサ８ａ，８ｂが手の挿入を検知して、送風機３を作動させる。送風機３が作動すると、エアフィルタ２０を通って吸気口９ａから空気が流入し、蓄熱ヒータ５１から受熱した後、吸気ダクト９を通って、送風機３に送られ、ここで高圧化される。なお、蓄熱ヒータ５１の冷却の進行を低減するため、制御回路５４は、送風機３の作動中は常時、シーズヒータ５３に通電を行っている。但し、送風機３とシーズヒータ５３が同時に作動した場合の電流値が大きくなりすぎ、手乾燥装置１００に接続される商用電源の容量アップが必要になる場合は、送風機３が作動中は、シーズヒータ５３に通電を行わないような制御回路５４を採用しても良い。【００１７】
送風機３を通過した空気は高圧空気流となり、排気口１４から第１，第２の排気ダクト１５ａ，１５ｂを通り、第１，第２のノズル７ａ，７ｂから手挿入部２内に噴出される。第１，第２のノズル７ａ，７ｂから噴出された高圧空気流は、手挿入部２内に挿入された手に当たり、手の表面に付着していた水を水滴として吹飛ばす。さらに、手挿入部２で手を挿抜すると、手全体に付着していた水滴のほとんどが排除され、手が乾燥される。なお、この高圧空気流は、室温に応じた適切な温度に蓄熱されていた蓄熱ヒータ５１により、使用者が快適に感じるように温風化されている。【００１８】
手を手挿入部２から抜くと、第１，第２の手検知センサ８ａ，８ｂがこれを検知し、送風機３が停止する。濡れた手から剥離した水滴は手挿入部２に当たり、その内壁表面２ａ，２ｂを伝わって流れ、手挿入部２の底部に設けられた排水口４及び排水管５を通って、ドレン容器１０に回収される。また、送風機３の停止後も、制御回路５４は、アルミダイキャスト５２の温度が、予め記憶されている温度になるように、シーズヒータ５３への室温に応じた通電制御を行う。【００１９】
ドレン容器１０は手前に引くことにより着脱可能であり、その背面には、手乾燥装置１００の外郭の一部を構成する正面パネル５９を固定するねじ６０ａ，６０ｂがある。正面パネル５９の上端は爪構造により、本体箱体１と引っかかっているため、ねじ６０ａ，６０ｂを外すことによって、取り外すことが可能である。ねじ６０ａ，６０ｂを外すには、ドライバー等の工具が必要となる。なお、専用の工具でなければ外すことのできないねじを用いても構わない。【００２０】
図３は、正面パネル（パネル）５９を取り外した手乾燥装置１００の斜視図および各部の部分拡大図である。正面パネル５９を取り外すことにより、商用電源に接続するための端子台６１、および、送風機３の設定を切り替えることのできるディップスイッチ（切替部）６２、および、蓄熱ヒータ５１への電源の入り切りを切り替えるディップスイッチ（切替部）６３にアクセス可能となる。【００２１】
ディップスイッチ６２は、送風機３作動時の風量の強弱を切り替えるためのものである。ディップスイッチ６３は、蓄熱ヒータ５１への電源の入り切りを切り替えるためのものである。管理者は、ディップスイッチ６２，６３を操作することで、風量の強弱や蓄熱ヒータ５１への電源の入り切りを選択して、節電を図ることができる。例えば、比較的気温の高い地域に手乾燥装置１００を設置する場合には、蓄熱ヒータ５１で空気を暖めなくても、利用者に不快感を与えにくいので、蓄熱ヒータ５１への電源を切っておいて、節電を図ることができる。【００２２】
なお、この実施の形態では、端子台６１およびディップスイッチ６２，６３は、保護カバー６４，６５に覆われている。保護カバー６４，６５は、正面パネル５９よりも内側、すなわち、本体の内部に設けられる。保護カバー６４，６５は、それぞれ、ねじ６６，６７を外すことにより、取り外すことが可能になっている。保護カバー６４，６５を外すことで端子台６１およびディップスイッチ６２，６３にアクセス可能となる。なお、ねじ６６，６７を外すには、ドライバー等の工具が必要となる。ディップスイッチ６２，６３が配置されている基板６８は、絶縁トランスにより、商用電源から絶縁されている。これにより、ディップスイッチ６２，６３を操作する際の、感電の危険性を低下させることができる。【００２３】
正面パネル５９は、本体内部に配置された送風機３や制御回路５４などの電装部品を、水の浸入から守るため、正面パネル５９と本体箱体１との合わせ目に防水処理が施されており、正面パネル５９の内部に水が浸入することはなく、ディップスイッチ６２，６３専用の追加の防水処理を施す必要はない。【００２４】
以上により、手乾燥装置１００の据付時には、正面パネル５９、カバー６４、６５を外すことにより、端子台６１に商用電源の屋内配線６９を結線し、かつ、手乾燥装置１００の管理者の希望にあわせ、送風機３の出力、ヒータの入り切りの設定を、一度に行うことができる。また、据付作業完了後に正面パネル５９を戻した後は、ディップスイッチ６２，６３が正面パネル５９に覆われるので、一般使用者が悪戯で上記の設定を変えることは困難である。また、正面パネル５９を開けるには、ドライバー等の専用工具が必要になるので、一般使用者が設定を変更することは一層困難となる。【００２５】
さらに、ドライバー等を用いて３本のねじ６０ａ，６０ｂ，６７を外すだけで、正面パネル５９および保護カバー６５を簡単に取り外すことができるので、手乾燥装置１００の据付後であっても、手乾燥装置１００の管理者は上記の設定を変更することができる。また、端子台６１が保護カバー６４で覆われていること、および、ディップスイッチ６２，６３および基板６８が絶縁されていることにより、感電の恐れがなく、安全に設定の変更を行うことができる。【００２６】
また、ねじ６０ａ，６０ｂとドレン容器１０との位置関係により、ねじ６０ａ，６０ｂは、ドレン容器１０の一部に覆われるので、手乾燥装置１００の据付状態において、ねじ６０ａ，６０ｂを視認しにくくすることができる。これにより、一般使用者による正面パネル５９を開けることをより困難にして、より一層ディップスイッチ６２，６３に対して悪戯されにくくすることができる。【００２７】
なお、本実施の形態では、手乾燥装置１００の切替可能な設定として、送風機３の風量およびヒータの入り切りを例示しているが、これに限られない。例えば、手乾燥装置１００への主電源の入り切りを切り替えるための主電源スイッチ（切替部）を基板６８上に設けてもよい。なお、主電源スイッチとは、手乾燥装置１００の送風機３等の主要な機器への電源供給を遮断して、手乾燥装置１００の機能を停止させるスイッチをいう。主電源スイッチを設けることで、手乾燥装置１００を長期間使用しない場合に、主電源を切って省電力を図ることができる。また、基板６８上に主電源スイッチを設けることで、悪戯による設定変更を防止しつつ、管理者による設定変更を可能とすることができる。【００２８】
また、ディップスイッチ６２，６３を覆う保護カバー６５を設けない構成としてもよい。この場合、悪戯による設定変更に対する防御性能は若干低下するものの、手乾燥装置１００の据付後の設定変更がより一層容易となり、管理者にとっての利便性を向上させることができる。
【産業上の利用可能性】
【００２９】
以上のように、本発明に係る手乾燥装置は、トイレ及び手洗い場等に設置される手乾燥装置に有用であり、特に、オフィスビル、ホテル、ファミリーレストラン、アミューズメント施設、総合スーパーマーケット、食品・医薬品・化粧品・その他一般の工場、学校、公共施設等の不特定多数の人間が使用する可能性のあるトイレ及び手洗い場に設置されるのに適している。
【図１】
2010109661.tif 000003
【図２】
2010109661.tif 000004
【図３】
2010109661.tif 000005
【国際調査報告】
2010109661.tif 000006
2010109661.tif 000007
2010109661.tif 000008
2010109661.tif 000009